(57)【要約】【課題】発射された遊技球の軌道を正常にする。【解決手段】ガイドレール１９の遊技盤１１の盤面に対する垂直度を調整するには、先ずガラス扉１６を開放する。この後、調整治具を偏心カム３１の差し込み溝３１ａに差し込み、メモリ３１を確認しながら偏心カム３１を回転させる。偏心カム３１が回転するとカム面３１ｃがガイドレール１９をその滑走面１９ａと反対側の面１９ｂ側から押圧する。ガイドレール１９の垂直度が適正に調整されたところで偏心カム３１の回転を止める。これにより、ガイドレール１９の垂直度の調整が終了する。作業が終了した後はガラス扉１６を閉じる。【選択図】図４
2007307055.tif 000002
【特許請求の範囲】
【請求項１】
遊技盤の盤面上に立設され、遊技球の発射操作に応答して作動された発射装置によって発射された遊技球を遊技盤の遊技領域に案内するガイドレールを備えたパチンコ機において、
前記ガイドレールの前記盤面に対する垂直度を調整する垂直度調整機構を備えたことを特徴とするパチンコ機。
【請求項２】
前記垂直度調整機構は遊技球の滑走面と反対側の面側から前記ガイドレールを押圧する偏心カムを備え、前記偏心カムの回転によって前記垂直度を調整可能としたことを特徴とする請求項１記載のパチンコ機
【請求項３】
前記垂直度調整機構は、発射装置による遊技球の発射軌道上に配置されていることを特徴とする請求項１又は２記載のパチンコ機。
【発明の詳細な説明】
【技術分野】
【０００１】
本発明は遊技球を遊技盤の盤面上に案内するガイドレールを備えたパチンコ機に関する。
【背景技術】
【０００２】
パチンコ機の遊技盤の盤面上には、遊技球の落下方向に変化をつける遊技釘や入賞口が設けられた遊技領域が形成されている。遊技者がハンドル操作を行うと発射装置によって遊技球が発射され、発射された遊技球はガイドレールによって遊技領域に案内される（例えば特許文献１）。遊技盤の前面側には開閉自在なガラス扉が設けられており、遊技者はガラス扉を介して遊技領域を視認しながら遊技を行うことができる。
【特許文献１】特開２００５−２４５７１１号公報
【発明の開示】
【発明が解決しようとする課題】
【０００３】
しかしながら上記のパチンコ機では、ガイドレールの垂直度が適正でない場合、発射された遊技球が例えば遊技釘の先端で跳ね返り、遊技球がガラス扉のガラス面に当たってしまうことがあった。これにより、遊技球が正常に遊技領域に発射されずに遊技に支障をきたす、あるいは、ガラス扉のガラスが破損されるおそれがあるという問題があった。この問題を解決するためには、ガイドレールの垂直度を調整する必要があるが、垂直度の調整はガイドレールの位置決めに際してガイドレールの取り付け／取り外しの作業を伴うため、作業が手間のかかるものとなっていた。
【０００４】
本発明は、上記課題を解決するためになされたもので、発射された遊技球の軌道を簡便な作業で正常な状態に修正することができるようにしたパチンコ機を提供することを目的とする。
【課題を解決するための手段】
【０００５】
上記目的を達成するために本発明のパチンコ機は、遊技球の発射操作に応答して作動された発射装置によって発射された遊技球を遊技盤の盤面上に案内するガイドレールを備えたパチンコ機において、前記ガイドレールの垂直度を調整する垂直度調整機構を備えたものである。
【０００６】
なお、前記垂直度調整機構は前記ガイドレールの背面を押圧する偏心カムを備え、前記偏心カムの回転によって前記垂直度を調整可能とすることが好ましい。
【０００７】
また、前記垂直度調整機構は、発射装置による遊技球の発射軌道上に配置されていることが好ましい。
【発明の効果】
【０００８】
本発明のパチンコ機によれば、ガイドレールの垂直度を調整する垂直度調整機構を備えたので、ガイドレールの垂直度を調整することが可能になり、発射された遊技球の軌道を簡便な作業で正常な状態に修正することができる。
【０００９】
また、偏心カムの回転によってガイドレールの垂直度を調整可能としたので、簡単な構成でガイドレールの垂直度を調整することが可能になり、パチンコ機の製造コストが上昇することを防止できる。
【００１０】
前記垂直度調整機構は、遊技球の発射軌道上に配置されているので、遊技球が接触する箇所での垂直度を調整することが可能になり、発射された遊技球の軌道をより確実に修正することができる。
【発明を実施するための最良の形態】
【００１１】
図１及び図２において、パチンコ機１０は遊技盤１１を備えている。遊技盤１１の前面には樹脂で形成された略矩形状の樹脂枠１１ａがレバー１１ｂによる係止によって取り付けられている。遊技盤１１の前面に樹脂枠１１ａが取り付けられると遊技盤１１の盤面上で遊技領域１２が画定される。遊技領域１２には、各種の入賞口１３、図柄の変動表示を行って当たり／ハズレを表示する液晶ディスプレイ１４が組み込まれたセンター役物１５、遊技球の落下方向に変化をつける遊技釘が設けられている。遊技盤１１の前方には開閉自在なガラス扉１６が設けられている。ガラス扉１６は内ガラス１６ａ（図４参照）と外ガラス１６ｂ（図４参照）とを備えており、これら２枚のガラス１６ａ，１６ｂを介して遊技領域１２を視認できる。
【００１２】
パチンコ機１０の下部には発射ハンドル１０ａが設けられている。遊技者が発射ハンドル１０ａを回動させるとパチンコ機１０の内部に組み込まれた発射装置１７が作動し、発射装置１７のノックアーム１７ａの揺動によって遊技球１８が１球ずつ発射される。発射された遊技球１８はガイドレール１９の滑走面１９ａ（図３参照）によって遊技領域１２に案内される。ガイドレール１９は例えばステンレスなどの金属の薄板で帯状に形成されており、樹脂枠１１ａに立設されたＬ字型の取り付けベース２０に嵌め込まれ、これにより円弧状に屈曲している。ガイドレール１９の先端は樹脂枠１１ａの内側に形成された凹状の突き当て部１１ｃに突き当てられ、基端側が固定フック２１によって取り付けベース２０にその側面から固定されている。
【００１３】
遊技盤１１の盤面上に遊技球１８が発射されると、遊技球１８は例えば図中Ａ，Ｂ部で示す２箇所で遊技球１８がガイドレール１９に接触して遊技領域１２に案内される。この場合、前述した２箇所では例えばパチンコ機１０の長期にわたる使用によりガイドレール１９が変形したり、あるいは、ガイドレール１９に倒れが起きたりしてガイドレール１９の遊技盤１１の盤面に対する垂直度に狂いが生じることがある。特に図中Ａ部は発射装置１７による遊技球の発射軌道上に位置するため、垂直度に狂いが生じやすい。このため、パチンコ機１０には遊技球１８が接触する２箇所にガイドレール１９の垂直度を調整する垂直度調整機構２２が設けられている。次に垂直度調整機構２２の構成について説明するが、図中Ａ，Ｂ部の各々には同一の構成の垂直度調整機構２２が設けられており、その作用も同一であるので図中Ａ部に設けた垂直度調整機構２２を例に挙げて説明し、図中Ｂ部の垂直度調整機構２２については説明を省略する。
【００１４】
図３において、垂直度調整機構２２は回転自在な調整具３０からなる。調整具３０は、ガイドレール１９の滑走面１９ａと反対側の面１９ｂ側に設けられている。調整具３０は偏心カム３１を備えている。偏心カム３１の上面には例えばマイナスドライバーなどの調整治具が差し込まれる矩形状の差し込み溝３１ａが形成されている。また、偏心カム３１の上面にはその周方向に沿って目盛り３１ｂが刻まれている。作業者は目盛り３１ｂによって偏心カム３１の回転量を確認することができる。偏心カム３１の下面には軸３２が形成されている。
【００１５】
図４において、偏心カム３１の軸３２の先端にはネジ部３３が形成されている。偏心カム３１は、ネジ部３３を樹脂枠１１ａのネジ孔３４にネジ止めすることによって樹脂枠１１ａに固定されている。偏心カム３１が樹脂枠１１ａに固定されると偏心カム３１のカム面３１ｃはガイドレール１９の滑走面１９ａと反対側の面１９ｂに当接する。軸３２にはバネ３５が挿通されている。バネ３２は偏心カム３１を上方に付勢している。これにより、偏心カム３１が不用意に回転してしまうことが防止されている。
【００１６】
次に上記のように構成されたパチンコ機１０でガイドレール１９の垂直度を調整するときの作業の流れを説明する。ガイドレール１９の遊技盤１１の盤面に対する垂直度を調整するには、先ずガラス扉１６を開放する。この後、調整治具を偏心カム３１の差し込み溝３１ａに差し込み、目盛り３１ｂを確認しながら偏心カム３１を回転させる。偏心カム３１が回転するとカム面３１ｃによってガイドレール１９がその面１９ｂ側から押圧され、ガイドレール１９の垂直度が調整される。ガイドレール１９の垂直度が適正に調整されたところで偏心カム３１の回転を止める。ガイドレール１９の垂直度の調整が終了した後はガラス扉１６を閉じる。
【００１７】
上記実施形態では、偏心カム３１を用いてガイドレール１９の垂直度を調整したが、例えば先端がガイドレール１９の背面と対面するように保持されたネジを設け、このネジの移動によってガイドレール１９の背面を押圧することによりガイドレール１９の垂直度を調整するなど適宜の方法でガイドレール１９の垂直度を調整してよい。
【００１８】
上記実施形態では、垂直度調整機構２２を２箇所に設けたがその数及び位置は適宜に設定してよく、また、遊技盤１１の盤面に直接取り付けてもよい。
【図面の簡単な説明】
【００１９】
【図１】パチンコ機の外観斜視図である。
【図２】遊技盤の正面図である。
【図３】図２中Ａ部の拡大図である。
【図４】図２中Ａ部の縦断面図である。
【符号の説明】
【００２０】
１０  パチンコ機
１１  遊技盤
１２  遊技領域
１８  遊技球
１９  ガイドレール
２２  垂直度調整機構
３０  調整具
３１  偏心カム
【図１】
2007307055.tif 000003
【図２】
2007307055.tif 000004
【図３】
2007307055.tif 000005
【図４】
2007307055.tif 000006